(57)【要約】【課題】本発明の課題は、設備機器の機能に影響を及ぼすことなく安定した通信状態を維持することである。【解決手段】通信制御装置１０は、設備機器ＡＣに接続され、同設備機器の通信を制御する装置であって、通信接続部１１と、メモリ１４と、制御部１２とを備える。通信接続部１１は、内部ネットワーク１０１に接続される。メモリ１４は、設備機器の通信の設定情報を保持する。制御部１２は、設備機器の運転情報を取得し、同運転情報に応じて設定情報のリセットのタイミングを判断し、同タイミングでリセットを実行する。【選択図】図２
2010114835.tif 000002
【特許請求の範囲】
【請求項１】
設備機器（ＡＣ）に接続され、前記設備機器の通信を制御する通信制御装置（１０）であって、
内部ネットワーク（１０１）に接続される通信接続部（１１）と、
前記設備機器の通信の設定情報を保持するメモリ（１４）と、
前記設備機器の運転情報を取得し、前記運転情報に応じて前記設定情報のリセットのタイミングを判断し、前記タイミングで前記リセットを実行する制御部（１２）と、
を備える、設備機器の通信制御装置。
【請求項２】
前記制御部（１２）は、前記設備機器（ＡＣ）が運転又は停止命令実行後の所定時間内を、前記リセットのタイミングと判断する、
請求項１に記載の設備機器の通信制御装置。
【請求項３】
前記設備機器（ＡＣ）は、空調機であって、
前記制御部（１２）は、前記空調機の圧縮機が待機時間にあるときを、前記リセットのタイミングと判断する、
請求項１に記載の設備機器の通信制御装置。
【請求項４】
前記設備機器（ＡＣ）は、空調機であって、
前記制御部（１２）は、前記空調機がデフロスト運転を行っているときを、前記リセットのタイミングと判断する、
請求項１に記載の設備機器の通信制御装置。
【請求項５】
前記制御部（１２）は、
前記運転情報として運転スケジュール情報を取得し、
前記運転スケジュール情報に基づき、前記リセットのタイミングを判断する、
請求項２に記載の設備機器の通信制御装置。
【請求項６】
設備機器（ＡＣ）に接続され、前記設備機器の通信を制御する通信制御装置（１０）であって、
内部ネットワーク（１０１）上にあり、前記内部ネットワークを介して他の装置（６０，７０）に接続される通信接続部（１１）と、
前記内部ネットワークにおける通信の設定情報を保持するメモリ（１４）と、
前記他の装置（６０，７０）との接続が所定回数以上失敗したとき、前記設定情報のリセットを実行する制御部（１２）と、
を備える、設備機器の通信制御装置。
【請求項７】
請求項１又は６に記載の通信制御装置（１０）と、
前記通信制御装置に接続される設備機器（ＡＣ）と、
前記内部ネットワーク（１０１）を介して前記設備機器に対する制御指令を前記通信制御装置（１０）に送信する他の装置（６０，７０）と、
を備える、
設備機器の管理システム。
【請求項８】
前記他の装置（６０，７０）は、前記通信制御装置（１０）に前記制御指令を所定の時間間隔をあけて所定回数送信し、前記制御指令に対する応答がない場合は、前記制御指令を解除する、
請求項７に記載の管理システム。
【請求項９】
前記通信制御装置（１０）は、前記リセットの開始通知と終了通知とを前記他の装置（６０，７０）に送信し、
前記他の装置は、前記開始通知を受信すると前記制御指令を待機状態にし、前記終了通知を受信すると前記待機状態を解除し、前記制御指令を前記通信制御装置に送信する、
請求項７に記載の管理システム。
【請求項１０】
ネットワーク（１０１，３００）上における設備機器（ＡＣ）の通信を制御する通信制御方法であって、
前記設備機器の運転情報を取得する運転情報取得ステップと、
前記運転情報に基づいて前記通信を行うための設定情報をリセットするタイミングを判断するタイミング判断ステップと、
前記タイミングで前記リセットを実行するリセット実行ステップと、
を備える、設備機器の通信制御方法。
【発明の詳細な説明】
【技術分野】
【０００１】
本発明は、設備機器の通信制御装置、管理システム及び通信制御方法に関する。
【背景技術】
【０００２】
従来、インターネット網等の外部ネットワークを介して遠隔より設備機器を監視・制御することが行われている。このような設備機器の管理システムでは、外部ネットワークに接続されるＬＡＮ等の内部ネットワーク上に設備機器を接続し、汎用通信プロトコルによる通信が行われている（例えば、特許文献１を参照）。内部ネットワーク上の設備機器の通信経路には、複数の仲介機器（例えば、ＤＨＣＰサーバー、ファイアーウォール、ブロードバンドルータ、ルーター、ゲートウェイ等）が介在している。仲介機器は、各種の通信処理（アドレスの自動付与、アドレス変換、ルーティング、フィルタリングなど）を自動的に行う。
【特許文献１】特開２００４−２００８５７号公報
【発明の開示】
【発明が解決しようとする課題】
【０００３】
ところで、仲介機器の設定変更の影響や通信の輻輳などにより、通信が正常に出来なくなることがある。こうした通信異常は、ある条件下においては度々（例えば月に１回程度）発生する。通信異常が発生した場合、通信異常が発生した内部ネットワーク上の端末や仲介機器を一旦リセットして通信処理の初期化を行うことにより、通信を回復させることがよく行われる。
【０００４】
しかし、端末が設備機器の場合、設備機器が制御情報を受信し実行している間にリセットすると、制御情報が受信されずに通信異常と判断されたり、制御情報が受け付けられず設備機器の運転自体に影響を及ぼしたりと、設備機器の機能が果たせなくなる。また、設備機器のリセットボタンは、通常人手に触れない位置に設置されていることが多い。そのため、リセットを行うための作業が困難であったり手間がかかったりする。例えば、設備機器が天井裏に設置されている室内空調機である場合、天井裏でのリセット作業が必要になるため、作業が煩雑であるとともに通信回復までの時間もかかる。
【０００５】
そこで本発明の課題は、設備機器の機能に影響を及ぼすことなく安定した通信状態を維持することである。
【課題を解決するための手段】
【０００６】
第１発明に係る設備機器の通信制御装置は、設備機器に接続され、同設備機器の通信を制御する通信制御装置であって、通信接続部と、メモリと、制御部と、を備える。通信接続部は、内部ネットワークに接続される。メモリは、設備機器の通信の設定情報を保持する。制御部は、設備機器の運転情報を取得し、運転情報に応じて上記設定情報のリセットのタイミングを判断し、そのタイミングでリセットを実行する。
【０００７】
ここで、運転情報とは、例えば、設備機器の制御情報、運転スジュール情報、運転データ等を含む。
【０００８】
ここでは、通信制御装置の制御部は、運転情報に応じて上記設定情報のリセットのタイミングを判断し、リセットを実行するため、設備機器の機能に影響を及ぼすことなく安定した通信状態を維持することができる。
【０００９】
第２発明に係る設備機器の通信制御装置は、第１発明に係る通信制御装置であって、制御部は、設備機器が運転又は停止命令実行後の所定時間以内を、リセットのタイミングと判断する。
【００１０】
第３発明に係る設備機器の通信制御装置は、第１発明に係る通信制御装置であって、設備機器は、空調機であり、制御部は、空調機の圧縮機が待機時間にあるときを、リセットのタイミングと判断する。
【００１１】
第４発明に係る設備機器の通信制御装置は、第１発明に係る通信制御装置であって、設備機器は、空調機であり、制御部は、空調機がデフロスト運転を行っているときを、リセットのタイミングと判断する。
【００１２】
第５発明に係る設備機器の通信制御装置は、第２発明に係る通信制御装置であって、制御部は、運転情報として運転スケジュール情報を取得し、同運転スケジュール情報に基づき、リセットのタイミングを判断する。
【００１３】
第６発明に係る設備機器の通信制御装置は、設備機器に接続され、設備機器の通信を制御する通信制御装置であって、通信接続部と、メモリと、制御部と、を備える。通信接続部は、内部ネットワーク上にあり、内部ネットワークを介して他の装置に接続される。メモリは、内部ネットワークにおける通信の設定情報を保持する。制御部は、他の装置との接続が所定回数以上失敗したとき、上記設定情報のリセットを実行する。
【００１４】
ここで、他の装置とは、内部ネットワーク内の装置であってもよいし、外部ネットワークを介して接続される管理装置等であってもよい。
【００１５】
ここでは、制御部が他の装置に対するアクセスが所定回数以上失敗したとき、設定情報のリセットを実行するため、設備機器の機能に影響を及ぼさず通信状態を迅速に回復させることができる。
【００１６】
第７発明に係る設備機器の管理システムは、第１又は第６発明の通信制御装置と、通信制御装置に接続される設備機器と、内部ネットワークを介して設備機器に対する制御指令を通信制御装置に送信する他の装置と、を備える。
【００１７】
第８発明に係る設備機器の管理システムにおいては、第７発明に係る管理システムであって、上記他の装置は、通信制御装置に制御指令を所定の時間間隔をあけて所定回数送信し、制御指令に対する応答がない場合は、制御指令を解除する。
【００１８】
ここでは、通信制御装置がリセット処理中により通信不能であっても、誤って制御指令が解除されないようにできる。
【００１９】
第９発明に係る設備機器の管理システムにおいては、第７発明に係る管理システムであって、通信制御装置は、リセットの開始通知と終了通知とを上記他の装置に送信し、上記他の装置は、開始通知を受信すると制御指令を待機状態にし、終了通知を受信すると待機状態を解除し、制御指令を通信制御装置に送信する。
【００２０】
ここでは、通信制御装置におけるリセットの開始と終了を他の装置に積極的に通知することにより、制御指令を確実に通信制御装置に送信することができる。
【００２１】
第１０発明に係る設備機器の通信制御方法は、ネットワーク上における設備機器の通信を制御する通信制御方法であって、運転情報取得ステップと、タイミング判断ステップと、リセット実行ステップと、を備える。運転情報取得ステップは、設備機器の運転情報を取得する。タイミング判断ステップは、運転情報に基づいて上記通信を行うための設定情報をリセットするタイミングを判断する。リセット実行ステップは、上記タイミングでリセットを実行する。
【００２２】
ここでは、運転情報に応じて通信を行うための設定情報をリセットするタイミングを判断し、リセットを実行するため、設備機器の機能に影響を及ぼすことなく安定した通信状態を維持することができる。
【発明の効果】
【００２３】
本発明によれば、設備機器の機能に影響を及ぼすことなく安定した通信状態を維持できる。
【発明を実施するための最良の形態】
【００２４】
１．実施形態
１．１．空調機設備機器管理システムの全体構成
図１は、本発明の一実施形態に係る空調機の管理システム１を示す。
【００２５】
空調機管理システム１は、遠隔の管理センター２００に配された管理装置７０と設備機器である各室内機ＡＣとの間で、室内機ＡＣに対する制御コマンドである制御情報、室内機ＡＣの運転記録データ、運転スケジュール等を送受信することにより、各室内機ＡＣの監視や制御を行う。空調機管理システム１はまた、施設１００内に配され、空調監視制御の専用ソフトを搭載したクライアントパソコン（以下空調監視制御用ＰＣと呼ぶ。）６０やリモートコントローラ等の操作により、室内機ＡＣの監視や制御を行う。空調機管理システム１は、各室内機ＡＣに接続されたアダプタ装置１０と、アダプタ装置１０が一ノードとして接続された内部ネットワークのＬＡＮ１０１と、ＬＡＮ１０１と通信可能な外部ネットワークのインターネット３００と、インターネット３００と通信可能な管理装置７０と、ＬＡＮ１０１上に接続された空調監視制御用ＰＣ６０等とを備える。
【００２６】
ＬＡＮ１０１は、会社や建物等の施設１００に設けられた内部ネットワークである。ＬＡＮ１０１は、空調監視制御用ＰＣ６０の他に、例えば、通常のクライアントパソコン３０、ＤＨＣＰサーバーを兼ねたサーバー４０、ルーター５０等が接続され、周知の通信プロトコルにより通信を行っている。また、ＬＡＮ１０１には各室内機ＡＣのアダプタ装置１０が接続されている。管理装置７０は、管理センター２００内に設けられた内部ネットワーク（図示省略）に接続されている。ＬＡＮ１０１は、施設１００の内部ネットワークであるため、ルーター等のネットワーク機器にファイアーウォール機能を備えている。空調機管理システム１はまた、携帯電話８０等の端末機器からインターネット３００を介して接続可能である。
【００２７】
インターネット３００を介してアダプタ装置１０が通信を行う場合、アダプタ装置１０に割り振られたローカルＩＰアドレスは、ルーター５０（ブロードバンドルータ等）によってインターネット３００で通信を行うためのグローバルアドレスに変換される（ＮＡＴ）。また、アダプタ装置１０のローカルＩＰアドレスとポート番号は、ルーターによってグローバルアドレスとポート番号の形に変換される（ＩＰマスカレード）。
【００２８】
１．２．アダプタ装置
図２は、本実施形態に係るアダプタ装置１０を内部に接続した室内機ＡＣの概略的構成を示す。アダプタ装置１０は室内機ＡＣに接続されている。
【００２９】
アダプタ装置１０は、室内機ＡＣと管理装置７０や空調監視制御用ＰＣ６０等の他の機器との通信を制御すると共に、管理装置７０や空調監視制御用ＰＣ６０等から室内機ＡＣに対する制御コマンドを受信し、制御コマンドを室内機ＡＣの制御部に実行させる装置である。本実施形態に係るアダプタ装置１０は、特に、ＬＡＮ１０１上に生じる通信異常の度にアダプタ装置１０をリセットすることを回避し、室内機ＡＣの機能に影響が及ばない適切なタイミングで自動的にリセット処理を行う機能を備える。ここで、適切なタイミングとは、室内機ＡＣに対する制御コマンドを受信しその返信処理（制御コマンドが実行されたことの確認までを含む）が完了するまでの時間を避けるタイミングである。具体的には、室内機ＡＣが運転又は停止制御コマンドの命令実行後の所定時間内である。このように運転や停止の制御コマンドを受信した直後には他の制御命令が送信される可能性が低いため、上記の問題を回避できる。その他の適切なタイミングの例としては、室内機ＡＣの圧縮機が待機時間にあるとき、室内機ＡＣがデフロスト運転を行っているとき等である。このようなタイミングであれば、制御コマンドを受信しても直ぐに実行できないタイミングであるため、上記問題を回避できる。
【００３０】
図２に示すように、アダプタ装置１０は、ＬＡＮ接続部１１と、通信制御部１２と、メモリＭと、を備える。
【００３１】
ＬＡＮ接続部１１は、アダプタ装置１０をＬＡＮ１０１に接続し、室内機ＡＣに対するデータの送受信を行う。
【００３２】
通信制御部１２は、後述する制御情報及びスケジュール情報を空調監視制御用ＰＣ６０や管理装置７０等から取得し、メモリＭに格納する。通信制御部１２はまた、運転記録データを空調制御部２１を介して取得し、メモリＭに格納する。通信制御部１２は、メモリＭに格納された情報を読み込み、ＬＡＮ１０１や空調制御部２１に送信する。通信制御部１２はまた、後述するようにメモリＭに格納されたリセットプログラムＰを読み込んで通信設定情報のリセット処理を行う。
【００３３】
メモリＭは、通信設定情報記憶部１３と、制御情報記憶部１４と、スケジュール情報記憶部１５と、運転データ記憶部１６と、を有する。
【００３４】
通信設定情報記憶部１３は、メモリＭに配されている。通信設定情報記憶部１３は、アダプタ装置１０がＬＡＮ１０１上で通信するために必要な通信設定情報を格納する。
【００３５】
通信設定情報とは、例えば、アダプタ装置１０に割り当てられたローカルＩＰアドレスや、通信中のポート番号等の情報である。これらの通信設定情報に基づき、アダプタ装置１０はＬＡＮ１０１上の機器との通信処理を行う。
【００３６】
制御情報記憶部１４は、制御情報を格納する。
【００３７】
制御情報とは、例えば、室内機ＡＣの運転／停止、運転モード（冷房、暖房、ドライ運転等）、設定温度、設定風量、消費電力等である。制御情報は、通信制御部１２により一定時間毎に読み込まれ、該当する時刻になると後述する空調制御部２１に送信され、その制御が実行される。なお、制御情報は、空調監視制御用ＰＣ６０や管理装置７０から通信制御部１２を介して受信された情報だけでなく、リモートコントローラ（図示省略）等から送信された情報を含んでいてもよい。
【００３８】
スケジュール情報記憶部１５は、空調監視制御用ＰＣ６０や管理装置７０から送信される室内機ＡＣの運転スケジュール情報を格納する。
【００３９】
運転スケジュール情報は、例えば図３に示すように、運転／停止、運転モード、設定温度等の制御内容とその制御が実行される日時とを含む。運転スケジュール情報は、通信制御部１２により一定時間毎に読み込まれ、該当する時刻になると後述する空調制御部２１に送信され、その制御が実行される。
【００４０】
なお、制御情報や運転スケジュール情報は、アダプタ装置１０が定期的に管理装置７０にアクセスし、そのアクセスに対する応答として受信され、格納される場合と、空調監視制御用ＰＣ６０からアダプタ装置１０に送信されて、格納される場合がある。
【００４１】
運転データ記憶部１６は、通信制御部１２が空調制御部２１を介して取得した室内機ＡＣの運転記録データ（室内機ＡＣの運転／停止、設定温度、消費電力等）を格納する。この運転記録データは、通信制御部１２により所定時間毎に読み出され、に管理装置７０や空調監視制御用ＰＣ６０に送信され、データとして格納される。
【００４２】
メモリＭに記録されたリセットプログラムＰは、通信設定情報を適切なタイミングでリセットする処理を行うためのプログラムであり、後述するように通信設定情報のリセットモジュールを含む。
【００４３】
アダプタ装置１０は、例えば次のような構成を有するコンピュータである。ＬＡＮ接続部１１は内部ネットワークであるＬＡＮとの接続回路である。通信制御部１２は、メモリＭに格納されたリセットプログラムＰを読み込んで演算・制御を実行するＣＰＵ等の制御部により実現される。メモリＭは、ＲＡＭやＲＯＭ等のメモリにより実現される。なお、このアダプタ装置１０の構成は一例であり、本発明は上記構成に限定されない。
【００４４】
１．２．１．アダプタ装置の通信設定
アダプタ装置１０の取り付け時の初期設定において、アダプタ装置１０のＭＡＣアドレス、ローカルＩＰアドレス、その他自機を識別する情報を対応付けて登録しておく。この対応付けは、例えばテーブル形式で、空調監視制御用ＰＣ６０、その他ＬＡＮ１０１上のクライアントパソコン３０、管理装置７０等によって保持される。
【００４５】
アダプタ装置１０は、後述するリセット処理によって割り当てられたローカルＩＰアドレスを一旦解放し、空調監視制御用ＰＣ６０からの定期的なＩＰアドレスの確認によってローカルＩＰアドレスを新たに割り当てられる。なお、ＤＨＣＰによるローカルＩＰアドレスの解放及び取得はこのリセット処理とは別に行われる。
【００４６】
１．３．空調機
室内機ＡＣは、例えば、個別空調方式の室内機である。室内機ＡＣは、冷媒回路及び通信線等により室外機（図示省略）と接続されている。冷媒回路は、主として室内熱交換器（熱交換器）、アキュムレータ、圧縮機、四路切換弁、室外熱交換器及び電動膨張弁で構成される。
【００４７】
室内機ＡＣは、空調制御部２１を有する。空調制御部２１は、アダプタ装置１０の通信制御部１２より送信される制御情報やスケジュール情報等に応じて室内機ＡＣの制御を実行する。空調制御部２１はまた、上述のように、室内機ＡＣに関する運転記録データを収集し、通信制御部１２に送信する。
【００４８】
空調制御部２１は、ＣＰＵ等の制御部により実現される。
【００４９】
１．４．管理装置
管理装置７０は、遠隔の管理センター２００に配され、複数箇所に配された室内機ＡＣを管理する中央管理装置である。管理装置７０は、インターネット３００を介して室内機ＡＣのアダプタ装置１０と通信可能に設置されている。
【００５０】
管理装置７０は、例えば、ＣＰＵ、メモリ、通信部、入力部、出力部等を有するコンピュータ機器である。管理装置７０は、上述の室内機ＡＣの制御情報や運転スケジュール情報を生成、格納する。管理装置７０は、例えばアダプタ装置１０からの定期的なアクセスに対する応答として、制御情報や運転スケジュール情報をアダプタ装置１０に送信する。管理装置７０はまた、各室内機ＡＣの運転記録データ（運転／停止、設定温度、消費電力等）をアダプタ装置１０より受信する。管理装置７０は、ルーター等のネットワーク機器を介してインターネット３００にデータを送信し、或いはインターネット３００より受信する。
【００５１】
管理装置７０は、ＷＷＷサーバーとして機能してもよい。管理装置７０は、例えば携帯電話８０よりＷｅｂページに対しアクセスを受け、携帯電話８０の操作を介して室内機ＡＣに関する情報を閲覧したり制御コマンドを送信したりしてもよい。
【００５２】
なお、上述の管理装置７０の構成は一例であり、本発明は上記構成に限定されない。
【００５３】
１．５．アダプタ装置によるリセット処理
以下の処理は、アダプタ装置１０の通信制御部１２が、リセットプログラムＰをメモリＭより読み込んでリセット処理を実行するものである。リセット処理は、通信設定情報の初期化と、新たなローカルＩＰアドレスの取得することによる通信設定とを含む。
【００５４】
１．５．１．空調機の運転／停止時を利用したリセット処理
図４は、本実施形態に係るアダプタ装置１０によるリセット処理の一例であり、空調機室内機ＡＣの運転／停止制御時を利用したリセット処理を示す。
【００５５】
このリセット処理では、運転又は停止制御が行われてしばらくの間は新たな制御コマンドがなされることはほとんどないので、この間にリセット処理を行うことで、空調機の制御に影響を与えない範囲で、通信状態を維持することができる。
【００５６】
Ｓ１０１ステップ：ＬＡＮ接続部１１は、制御情報を受信する。なお、この制御情報は、空調監視制御用ＰＣ６０から受信したり、或いはアダプタ装置１０が管理装置７０に定期的にアクセスして受信する。制御情報は、制御情報記憶部１４に格納される。
【００５７】
Ｓ１０２ステップ：通信制御部１２は、制御情報記憶部１４に実行すべき制御情報があるかどうかを判断する。制御情報がある場合はＳ１０３ステップに進み、制御情報がない場合はＳ１０６ステップに進む。
【００５８】
Ｓ１０３ステップ：通信制御部１２は、制御情報を読み出し、最新の制御情報が“運転"又は“停止”の情報であるかを判断する。“運転”又は“停止”の制御情報である場合は、Ｓ１０４ステップに進む。“運転”又は“停止”の制御情報でない場合は、Ｓ１０６ステップに進む。
【００５９】
Ｓ１０４ステップ：通信制御部１２は、予めメモリＭ等に格納した前回のリセット処理時刻から、所定時間が経過したかどうかを判断する。経過している場合はＳ１０５ステップに進み、経過していない場合はＳ１０６ステップに進む。
【００６０】
なお、このような判断処理を行う理由は、アダプタ装置１０のリセットが頻繁に生じることによる支障を防ぐためである。したがって、通信制御部１２は最後のアダプタ装置１０のリセット時から所定時間が経過した場合のみ、リセット処理を行う。
【００６１】
Ｓ１０５ステップ：空調制御部２１は、運転又は停止を実行する。
【００６２】
Ｓ１０６ステップ：空調制御部２１は、制御情報による制御を実行する。
【００６３】
Ｓ１０７ステップ：通信制御部１２は、運転又は停止の実行が完了したかどうかを判断する。完了した場合は、Ｓ１０８ステップに進む。
【００６４】
Ｓ１０８ステップ：通信制御部１２は、さらに運転又は停止の実行が完了してから所定時間内であるかどうかを判断する。
【００６５】
ここで、所定時間内とは、空調制御部２１により運転又は停止の制御が実行されてまもない時間（例えば１分以内）を意味する。室内機ＡＣが運転／停止された後まもなくの時間内であれば、室内機ＡＣに対して操作や他の制御が行われる可能性が低い。したがって、通信制御部１２は、室内機ＡＣの運転又は停止が確実に行われた後の所定時間に至るのを待って、リセットを実行する。これにより、室内機ＡＣの機能に影響を及ぼさずにリセットが行える。
【００６６】
Ｓ１０９ステップ：通信制御部１２は、通信設定情報記憶部１３の通信設定情報を初期化する。ここで、通信設定情報記憶部１３に格納され、室内機ＡＣに割り当てられていたローカルＩＰアドレスは解放される。
【００６７】
Ｓ１１０ステップ：通信制御部１２は、新たなローカルＩＰアドレスを取得する等、通信設定情報を再設定する。新たなローカルＩＰアドレスは、ＬＡＮ１０１上にある空調監視制御用ＰＣ６０等に保持された上述の情報から、取得する。
【００６８】
Ｓ１１１ステップ：通信制御部１２は、新たなＩＰアドレスを取得したらそのリセット実行時を先のリセット時間としてメモリＭ等に格納する。
【００６９】
なお、上記処理の流れは一例であり、その処理手順は上記のものに限定されるものではない。例えば、上記処理においては、リセット処理を終了させず、Ｓ１０１ステップ（次の制御情報の受信・格納）に戻している。この代わりに、リセット処理を一旦終了させて、定期的にリセット処理を開始するような処理にしてもよい。
【００７０】
１．５．２．運転スケジュール情報を利用したリセット処理
図５は、本実施形態に係るアダプタ装置１０によるリセット処理の他の例であり、運転スケジュール情報を利用したリセット処理を示す。このリセット処理では、室内機ＡＣの運転時間がスケジュール設定されている場合に、空調停止時間が確実な時間、例えば夜間等に処理を行う。これにより、空調機の制御に影響を与えない範囲で、通信状態を維持することができる。以下、夜間の空調停止時間を利用したリセット処理について説明する。
【００７１】
Ｓ２０１ステップ：通信制御部１２は、スケジュール情報記憶部１５の運転スケジュール情報に更新があったかどうかを判断する。具体的には、運転スケジュール情報の更新フラグの有無や更新時間等を参照し、先のリセット時から現リセット時までの間に運転スケジュールの更新があったかを判断する。更新があった場合はＳ２０２ステップに進み、更新がなかった場合はＳ２０７ステップに進む。なお、この運転スケジュール情報は、管理装置７０等で生成され、アダプタ装置１０に所定のタイミングで送信され、スケジュール情報記憶部１５に格納される。
【００７２】
Ｓ２０２ステップ：通信制御部１２は、運転スケジュール情報をスケジュール情報記憶部１５より読み出す。
【００７３】
Ｓ２０３ステップ：通信制御部１２は、運転スケジュール情報より、“停止”命令の実行時刻から次の“運転”命令の実行時刻までの時間が、一日の中で最も長い時間帯を演算により特定する。
【００７４】
Ｓ２０４ステップ：通信制御部１２は、上記時間帯における停止時刻Ｔｏｆｆ、次の運転開始時刻Ｔｏｎ、その時間差ＴΔｍａｘを算出する。
【００７５】
Ｓ２０５ステップ：通信制御部１２は、時間差ＴΔｍａｘが所定時間より大きいかどうかを判断する。所定時間より大きい場合は、Ｓ２０６ステップに進み、所定時間より小さい場合はリセットを行なわずＳ２０１ステップに戻る。
【００７６】
ここで、所定時間とは、リセット処理を行うのに必要な時間＋α（余裕）程度の時間をいう。
【００７７】
Ｓ２０６ステップ：通信制御部１２は、上記停止時刻Ｔｏｆｆ＋（時間差ＴΔｍａｘ／２）をリセット時刻として設定し、メモリＭに格納する。
【００７８】
ここでは、停止時刻Ｔｏｆｆ及び次の運転開始時刻Ｔｏｎとの中間点をリセット時刻としている。
【００７９】
Ｓ２０７ステップ：通信制御部１２は、現在の時刻がリセット時刻であるかどうかを判断する。リセット時刻である場合は、Ｓ２０８ステップに進み、リセット時刻でない場合はＳ２０１ステップに戻る。
【００８０】
Ｓ２０８ステップ：通信制御部１２は、通信設定情報記憶部１３の通信設定情報を初期化する。ここで、通信設定情報記憶部１３に格納され、室内機ＡＣに割り当てられていたローカルＩＰアドレスは解放される。
【００８１】
Ｓ２０９ステップ：通信制御部１２は、新たなローカルＩＰアドレスを取得する等、通信設定情報を再設定する。新たなローカルＩＰアドレスは、ＬＡＮ１０１上にある空調監視制御用ＰＣ６０等に保持された上述の情報から、取得する。
【００８２】
Ｓ２１０ステップ：通信制御部１２は、新たなＩＰアドレスを取得したらそのリセット実行時を先のリセット時間としてメモリＭ等に格納する。
【００８３】
なお、上記処理の流れは一例であり、その処理手順は上記のものに限定されるものではない。例えば、Ｓ２０１ステップ〜Ｓ２０６ステップの処理とＳ２０７ステップ〜Ｓ２１０ステップの処理とを分けてもよい。この場合、Ｓ２０１ステップ〜Ｓ２０６ステップの処理を所定時間毎に実施してリセット時刻を求める処理とし、Ｓ２０７ステップ〜Ｓ２１０ステップの処理は所定間隔毎に起動する処理としてもよい。
【００８４】
１．５．３．空調機の圧縮機停止後の待機時間を利用したリセット処理
上記処理に加えて、又は上記処理の代わりとして、室内機ＡＣの室外機（図示省略）の圧縮機停止後の待機時間を利用してリセットを行ってもよい。室外機の圧縮機は、一旦停止すると、圧縮機保護のため数分間は停止制御がかけられた状態になる。この圧縮機停止後の待機時間においては、室内機ＡＣに対して新たに制御コマンドが出されても待機時間が優先されるため、運転は開始されない。よって、室内機ＡＣの運転に影響は及ばない。
【００８５】
具体的には、通信制御部１２が空調制御部２１及び室内機ＡＣを介して室外機の運転状態を取得し、室外機の圧縮機が待機状態に入っている場合に、通信制御部１２はリセットを実行する。
【００８６】
１．５．４．空調機のデフロスト運転時間を利用したリセット処理
上記処理に加えて、又は上記処理の代わりとして、暖房の場合、室内機ＡＣの室外機（図示省略）のデフロスト運転時間を利用してリセットを行ってもよい。暖房運転の場合、室外機は、熱交換器の着霜を溶かして熱交換効率を高めるため、デフロスト運転を行う。デフロスト運転中においては、室内機ＡＣに対して新たな制御コマンドが出されてもデフロスト運転が優先されるため、運転は開始されない。よって、室内機ＡＣの運転に影響は及ばない。
【００８７】
具体的には、通信制御部１２が空調制御部２１及び室内機ＡＣを介して室外機の運転状態を取得し、室外機の圧縮機が待機状態に入っている場合に、通信制御部１２はリセットを実行する。
【００８８】
１．６．本実施形態の効果
本実施形態に係るアダプタ装置１０によれば、通信制御部１２が、通信設定情報のリセットをするための最適なタイミングを判断し、リセット処理を行うため、設備機器の運転に影響を及ぼすことがなく安定した通信状態を維持することができる。
【００８９】
また、本実施形態に係るアダプタ装置１０によれば、リセットの対象は通信設定情報であるため、室内機ＡＣの制御情報や運転スケジュール情報、及び室内機ＡＣで実行処理中の制御内容には影響がない。つまり、通信設定情報のみがリセットされ、制御情報がリセットされることはない。したがって、実行前の制御情報がリセットされることにより設備機器の運転に影響を及ぼすことはない。
【００９０】
２．変形例
２．１．
図６は、本実施形態のアダプタ装置１０のリセット処理の変形例を示す。
【００９１】
Ｓ３０１ステップ：まず、通信制御部１２は、ＬＡＮ接続部１１を介して空調監視制御用ＰＣ６０又は管理装置７０と接続される。この接続は、制御情報等を受信するときに行われる。管理装置７０の場合は、通信制御部１２が定期的に管理装置７０に定期的にアクセスすることにより接続を行う。また、内部ネットワーク１０１上の空調監視制御用ＰＣ６０との接続である場合は、空調監視制御用ＰＣ６０から制御情報を送信し接続を行う。
【００９２】
Ｓ３０２ステップ：次に、通信制御部１２は、通信が成功したかどうかを判断する。具体的には、上記アクセスに対し空調監視制御用ＰＣ６０又は管理装置７０から正常に応答を受信すれば通信は成功し、受信しなければ失敗と判断する。なお、通信の失敗は、複数回のリトライの後判断される。通信が成功しなかった場合はＳ３０３ステップに進む。
【００９３】
Ｓ３０３ステップ：通信制御部１２は、通信設定情報記憶部１３の設定情報のリセットを指令し、実行する。通信制御部１２はまた、新たなローカルＩＰアドレスを取得する等、通信設定情報を再設定する。
【００９４】
この変形例では、通信異常が生じると自動的にリセット処理を行うため、手動でリセットする必要がなく、迅速に通信を回復させることができる。また、アダプタ装置１０が空調監視制御用ＰＣ６０から制御情報などを受信する前や、管理装置７０から制御情報等を取得するための定期的なアクセスが失敗した時にリセット処理を行うため、リセットによる制御情報等の取りこぼしの可能性も少なくなる。
【００９５】
なお、上記処理の流れは一例であり、その処理手順は上記のものに限定されるものではない。また、この処理は、上記実施形態の処理に加えて行ってもよいし、代わりとして行ってもよい。
【００９６】
２．２．
上記実施形態において、リセット処理中にＬＡＮ１０１を介して制御コマンドが送信されてもアダプタ装置１０は制御コマンドを受け付けられない状態にある。このため、空調監視制御用ＰＣ６０、管理装置７０等、ＬＡＮ１０１を介して制御コマンドを送信する各機器（以下、制御コマンド送信機器と呼ぶ。）は、アダプタ装置１０側で通信異常が発生したと判断し、制御コマンドの送信処理を解除してしまうおそれがある。この場合、制御コマンドが送信されず、空調機の機能に影響を及ぼす。そこで、各機器は、図７に示すように、アダプタ装置１０が通信異常かリセット中かを判断する処理を行うプログラムモジュールを有するようにしてもよい。
【００９７】
Ｓ１１１ステップ：各制御コマンド送信機器は制御コマンドを送信する。
【００９８】
Ｓ１１２ステップ：各制御コマンド送信機器の制御部は、送信した制御コマンドの応答をアダプタ装置１０より受信したかどうかを判断する。
【００９９】
Ｓ１１３ステップ：各制御コマンド送信機器の制御部は、制御コマンドの応答があったと判断した場合は、通常の処理に従って制御コマンドの送信を完了する。
【０１００】
Ｓ１１４ステップ：各制御コマンド送信機器の制御部は、制御コマンドの応答がないと判断した場合は、リセット処理時間分（例えば数秒）経過するまで待機する。
【０１０１】
Ｓ１１５ステップ：各制御コマンド送信機器の制御部は、再度送信した制御コマンドの応答がアダプタ装置１０よりあったかどうかを判断する。あった場合は通常の処理に従って制御コマンドの送信を完了する。
【０１０２】
Ｓ１１６ステップ：各機器の制御部は、制御コマンドの応答がアダプタ装置１０よりなかったと場合は、制御コマンド送信機器側で通信異常が発生していると判断し、制御コマンド送信を解除する。
【０１０３】
なお、上記処理の流れは一例であり、その処理手順は上記のものに限定されるものではない。例えば、Ｓ１１４〜Ｓ１１５ステップは複数回繰り返してもよい。
【０１０４】
２．３．
上記実施形態において、アダプタ装置１０はリセット処理中であることを積極的に通知するようにしてもよい。この場合、アダプタ装置１０の通信制御部１２は、図８に示すように、ＬＡＮ１０１を介して制御コマンドを送信する空調監視制御用ＰＣ６０、管理装置７０等の各制御コマンド送信機器に対し、リセット処理の開始と終了を通知する。
【０１０５】
Ｓ１２１ステップ：アダプタ装置１０の通信制御部１２は、リセット処理を開始する前に、開始通知を制御コマンド送信機器に送信する。
【０１０６】
Ｓ１２２ステップ：制御コマンド送信機器は、リセット開始通知を受信する。
【０１０７】
Ｓ１２３ステップ：制御コマンド送信機器は、制御コマンドの送信を待機させる。具体的には、各機器の制御部は、制御コマンド送信時に、待機状態にあるかどうかを判断処理し、待機状態にあれば制御コマンドの送信を待機させる。この場合、制御コマンド送信機器の表示画面に待機期間中である旨表示させてもよい。
【０１０８】
Ｓ１２４ステップ：アダプタ装置１０の通信制御部１２は、リセット処理を実行する。
【０１０９】
Ｓ１２５ステップ：アダプタ装置１０の通信制御部１２は、リセット処理が終了すると、終了通知を制御コマンド送信機器に送信する。
【０１１０】
Ｓ１２６ステップ：制御コマンド送信機器は、終了通知を受信し、制御コマンド送信の待機状態を解除する。制御コマンド送信機器は、待機させている制御コマンドがあれば、通常の処理に従ってアダプタ装置１０に送信する。
【０１１１】
２．４．
上記実施形態においては、アダプタ装置１０は、直接ＬＡＮ１０１に接続されている。これに代えて、集中コントローラをＬＡＮ１０１に接続し、集中コントローラとアダプタ装置１０とは別に設けられた空調監視制御用の通信線に接続されるようにしてもよい。
【０１１２】
２．５
上記実施形態においては、空調監視制御用ＰＣ６０はアダプタ装置１０に制御情報を送信する方法を挙げているが、アダプタ装置１０が定期的に空調監視制御用ＰＣ６０に制御情報を取得するためにアクセスする方法でもよい。
【０１１３】
２．６．
上記実施形態においては、設備機器として室内機ＡＣのみを例に挙げているが、本発明はこれに限定されるべきでなく、室外機や、セントラル空調方式による大型空調機等であってもよい。また、本発明は、空調機の他にも、冷凍・冷蔵設備、その他の運転の監視・制御の対象となり得る設備機器も含む。
【０１１４】
２．７．
上記実施形態においては、アダプタ装置１０は、室内機ＡＣの内部に接続されている。これに代えて、アダプタ装置１０は、室内機ＡＣの外部に取り付けられて接続されるものであってもよい。或いは、アダプタ装置１０は、室内機ＡＣの空調制御部２１の一部として組み込まれていてもよい。或いは、アダプタ装置１０は、独立した装置として複数の室内機ＡＣに有線又は無線で接続されていてもよい。
【０１１５】
また、メモリＭは、その全部又は一部を室内機ＡＣ側に設けてもよい。
【産業上の利用可能性】
【０１１６】
本発明は、設備機器の機能に影響を及ぼすことなく安定した通信状態を維持することができる設備機器の通信制御装置、管理システム及び通信制御方法として有用である。
【図面の簡単な説明】
【０１１７】
【図１】本発明の一実施形態に係る空調機管理システムの全体構成図
【図２】同実施形態に係るアダプタ装置の概略構成図
【図３】同実施形態に係るアダプタ装置のスケジュール情報記憶部の内容を示す図
【図４】同実施形態に係るアダプタ装置のリセット処理の流れを示すフローチャート
【図５】同実施形態に係るアダプタ装置の他のリセット処理の流れを示すフローチャート
【図６】上記実施形態の変形例によるアダプタ装置のリセット処理の流れを示すフローチャート
【図７】上記実施形態の変形例による制御コマンド送信処理の流れを示すフローチャート
【図８】上記実施形態の変形例による他の制御コマンド送信処理の流れを示すフローチャート
【符号の説明】
【０１１８】
１            空調機管理システム（設備機器管理システム）
１０          アダプタ装置（通信制御装置）
１１          ＬＡＮ接続部（通信接続部）
１２          通信制御部（制御部）
１３          通信設定情報記憶部
１４          制御情報記憶部
１５          スケジュール情報記憶部
１６          運転データ記憶部
２１          空調制御部
３０          クライアントパソコン
４０          サーバー
５０          ルーター
６０          空調監視制御用ＰＣ
７０          管理装置
８０          携帯電話
１００        施設
１０１        ＬＡＮ（内部ネットワーク）
２００        管理センター
３００        インターネット（外部ネットワーク）
ＡＣ          室内機（設備機器）
Ｃ            制御部
Ｍ            メモリ
Ｐ            リセットプログラム
【図１】
2010114835.tif 000003
【図２】
2010114835.tif 000004
【図３】
2010114835.tif 000005
【図４】
2010114835.tif 000006
【図５】
2010114835.tif 000007
【図６】
2010114835.tif 000008
【図７】
2010114835.tif 000009
【図８】
2010114835.tif 000010